(57)【特許請求の範囲】
【請求項１】
受信している番組の構成を示す構成情報を解析して複数の属性の音声を含む音声の編成を解析する構成情報解析部と、
記憶部と、
前記編成で示される複数の属性の音声のうち操作により選択された音声を示す選択情報を生成し、前記選択情報と選択された前記音声に対応する属性を示す属性情報の組を前記記憶部に記憶し、
前記編成が変更されるとき、前記記憶部に記憶された前記選択情報が示す属性のうち最後に選択された属性の音声を、他の属性の音声よりも優先して選択する再生制御部と、
前記再生制御部が選択した属性の音声を再生する音声処理部と、
を備える受信装置。
【請求項２】
受信している番組の構成を示す構成情報を解析して複数の属性の音声を含む音声の編成を解析する構成情報解析部と、
操作により選択された属性を示す選択情報を生成し、前記編成が変更されるとき前記選択情報が示す属性のうち最後に選択された属性の音声を、他の属性の音声よりも優先して選択する再生制御部と、
前記再生制御部が選択した属性の音声を再生する音声処理部と、
を備え、
前記再生制御部は、前記番組において前記選択情報が示す属性の音声が含まれない場合、
前記属性として前記音声処理部が再生可能な再生方式のうちチャンネル数が多い再生方式の音声ほど優先して選択し、前記再生方式の音声に複数の言語の音声が含まれるとき、前記属性として前記複数の言語の音声のいずれかを所定の優先順位に基づいて選択する
受信装置。
【請求項３】
受信している番組の構成を示す構成情報を解析して複数の属性の音声を含む音声の編成を解析する構成情報解析部と、
操作により選択された属性を示す選択情報を生成し、前記編成が変更されるとき前記選択情報が示す属性のうち最後に選択された属性の音声を、他の属性の音声よりも優先して選択する再生制御部と、
前記再生制御部が選択した属性の音声を再生する音声処理部と、
を備え、
前記再生制御部は、前記番組が変更されるとき、または、前記番組を受信する放送チャンネルが変更されるとき、前記再生制御部は、前記選択情報を消去する
受信装置。
【請求項４】
前記番組において前記選択情報が示す属性の音声が含まれない場合、前記再生制御部は、自装置の機能に係る属性設定において指定された属性の音声を選択する請求項１から請求項３のいずれか一項に記載の受信装置。
【請求項５】
受信装置における受信方法であって、
受信している番組の構成を示す構成情報を解析して複数の属性の音声を含む音声の編成を解析する構成情報解析過程と、
前記編成で示される複数の属性の音声のうち操作により選択された音声を示す選択情報を生成し、前記選択情報と選択された前記音声に対応する属性を示す属性情報の組を記憶部に記憶し、
前記編成が変更されるとき、前記記憶部に記憶された前記選択情報が示す属性のうち最後に選択された属性の音声を、他の属性の音声よりも優先して選択する再生制御過程と、
前記再生制御過程において選択された属性の音声を再生する音声処理過程と、
を有する受信方法。
【請求項６】
受信装置のコンピュータに、
受信している番組の構成を示す構成情報を解析して複数の属性の音声を含む音声の編成を解析する構成情報解析手順、
前記編成で示される複数の属性の音声のうち操作により選択された音声を示す選択情報を生成し、前記選択情報と選択された前記音声に対応する属性を示す属性情報の組を記憶部に記憶し、前記編成が変更されるとき、前記記憶部に記憶された前記選択情報が示す属性のうち最後に選択された属性の音声を、他の属性の音声よりも優先して選択する再生制御手順、
前記再生制御手順において選択された属性の音声を再生する音声処理手順、
を実行させるためのプログラム。
【発明の詳細な説明】
【技術分野】
【０００１】
本発明は、受信装置、受信方法およびプログラム、特にテレビジョン放送システムに関する。
【背景技術】
【０００２】
次世代テレビジョン放送サービス、例えば、４Ｋ、８Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）では、１つの番組に対し、複数の異なった再生方式の音声や、複数の言語の音声を放送するサービスであるサイマル音声放送が予定されている。サイマル音声放送では、番組毎に再生方式、言語などの属性が異なる音声が多重化されるため、テレビジョン受信装置は、その属性に応じて復号（デコード）された音声信号を再生する。
【０００３】
他方、デジタルテレビジョン放送において、多チャンネル音声の一部のチャンネルについて、他のチャンネルと独立した音量制御を可能とするダイアログ専用チャンネルを設けることが検討されている。ダイアログ専用チャンネルには、番組の一部の要素としてダイアログ音声が提供される。ダイアログ音声対応の受信装置は、ダイアログ音声が提供されていることを認識し、全チャンネルについての音量調整とは別に操作により指示されたダイアログ専用チャンネルについて音量調整を可能とする。
【０００４】
例えば、特許文献１には、ダイアログ音量制御部、主音量制御部及びダイアログ音量制御部ならびに主音量制御部と結合され、ダイアログ音量及び主音量をそれぞれ個別に調節するためのダイアログ音量調節信号及び主音量調節信号を個別に生成するように構成される回路部を含むことを特徴とする装置について記載されている。
【先行技術文献】
【特許文献】
【０００５】
【特許文献１】特表２０１０−５１５２９０号公報
【発明の概要】
【発明が解決しようとする課題】
【０００６】
多チャンネル音声には、複数のダイアログ専用チャンネルが設定され、個々のダイアログ専用チャンネルに異なる言語や種類の音声が割り当てられることがある。また、ダイアログ専用チャンネルや言語の割り当ては、番組によって異なりうる。そのため、放送チャンネルや番組の切り替えに応じて再生される音声の設定が、必ずしもユーザが意図する音声の設定にならないおそれがある。
【０００７】
例えば、図１９に示すように、番組の切り替えに伴い音声の編成がａｒ０８−１、ａｒ０８−２、ａｒ０８−３と順に切り替わる場合を仮定する。当初の編成ａｒ０８−１のうち英語の第２音声が選択されていても、次の編成ａｒ０８−２には日本語の第１音声しか含まれない。そのため、最後の編成ａｒ０８−３のうち、直前の編成ａｒ０８−２に含まれる第１音声と同一の言語である日本語の第１音声が選択され、英語の第２音声が選択されないことがある。次に、図２０に示すように、音声の編成がａｒ０９−１、ａｒ０９−２、ａｒ０９−３と順に切り替わる場合を仮定する。当初、日本語の第１音声が含まれる編成ａｒ−０１が編成ａｒ０９−２に切り替わると、当初選択された音声と言語が同一である日本語の第１音声が一旦選択される。編成ａｒ０９−２のもとで英語の第２音声がユーザの操作により選択された後、当初と同一の編成ａｒ０９−３に切り替わると、当初選択された音声と言語が同一である日本語の第１音声が提供される。
【０００８】
また、番組において同一の内容について再生方式や言語の異なる音声を並行して提供される（サイマルキャスト）場合でも、ユーザの意図する音声の設定にならない事象が生じることがある。例えば、図２１に示すように、当初の編成ａｒ１０−１には、第１音声としてサラウンド５．１ｃｈの日本語の主音声ならびにステレオ２．０ｃｈの日本語の主音声と、第２音声としてサラウンド５．１ｃｈの解説音声ならびにステレオ２．０ｃｈの英語の音声が含まれる場合を仮定する。編成ａｒ１０−１のうち、ユーザの操作によりサラウンド５．１ｃｈの解説音声が選択されたとき、編成ａｒ１０−２に切り替わると、編成ａｒ１０−１において選択された音声と言語が同一であるステレオ２．０ｃｈの日本語の音声が選択される。ユーザの操作によりステレオ２．０ｃｈの英語の音声が選択されたとき、当初と同一の編成ａｒ１０−３に切り替わると、直前に選択された音声とチャンネル数が同一であるステレオ２．０ｃｈの日本語の音声が選択されることがある。この場合、当初の編成ａｒ１０−１で選択された音声と同一のチャンネル数ならびに内容とならない。また、図２２に示す例では、当初の編成ａｒ１１−１のうちサラウンド５．１ｃｈの日本語の音声が選択されたとき、第１音声としてステレオ２．０ｃｈの日本語の音声と第２音声としてステレオ２．０ｃｈの英語の音声を含む編成ａｒ１１−２に切り替わる場合を仮定する。このとき、直前に選択された音声と言語が同一であるステレオ２．０ｃｈの日本語の番組が選択される。その後、ユーザの操作によりステレオ２．０ｃｈの英語の音声が選択されたとき、当初と同一の編成である編成ａｒ１１−３に切り替わると、チャンネル数が最も多いサラウンド５．１ｃｈの日本語の音声が選択される。
【０００９】
本発明は上記の点に鑑みてなされたものであり、放送チャンネルや番組の切り替えの直後の音声の設定を、より確実にユーザの意図に沿った設定にすることができる受信装置、受信方法およびプログラムを提供する。
【課題を解決するための手段】
【００１０】
本発明は上記の課題を解決するためになされたものであり、本発明の一態様は、受信している番組の構成を示す構成情報を解析して複数の属性の音声を含む音声の編成を解析する構成情報解析部と、記憶部と、前記編成で示される複数の属性の音声のうち操作により選択された音声を示す選択情報を生成し、前記選択情報と選択された前記音声に対応する属性を示す属性情報の組を前記記憶部に記憶し、前記編成が変更されるとき、前記記憶部に記憶された前記選択情報が示す属性のうち最後に選択された属性の音声を、他の属性の音声よりも優先して選択する再生制御部と、前記再生制御部が選択した属性の音声を再生する音声処理部と、を備える受信装置である。
【発明の効果】
【００１１】
本発明によれば、放送チャンネルや番組の切り替えの直後の音声の設定を、よりユーザの意図に沿った設定にすることができる。
【図面の簡単な説明】
【００１２】
【図１】本発明の実施形態に係る放送システムの構成を示すブロック図である。
【図２】本発明の実施形態に係る送信装置が送信する音声データの例を示す図である。
【図３】本発明の実施形態に係る受信装置における再生対象のアセットの選択例を示す図である。
【図４】本発明の実施形態に係る送信装置の構成を示すブロック図である。
【図５】ＭＰＴの例を示す図である。
【図６】ＭＨ−音声コンポーネント記述子の例を示す図である。
【図７】コンポーネント種別の例を示す図である。
【図８】本発明の実施形態に係る受信装置の構成を示すブロック図である。
【図９】本発明の実施形態に係る音声処理部の構成を示すブロック図である。
【図１０】本発明の実施形態に係る制御部の構成を示すブロック図である。
【図１１】本発明の実施形態に係る再生処理を示すフローチャートである。
【図１２】本発明の実施形態に係る受信装置における音声の選択例を示す図である。
【図１３】本発明の実施形態に係る受信装置における音声の他の選択例を示す図である。
【図１４】本発明の実施形態に係る受信装置における音声の他の選択例を示す図である。
【図１５】本発明の実施形態に係る受信装置による音声の他の選択例を示す図である。
【図１６】本発明の実施形態に係る受信装置による音声の他の選択例を示す図である。
【図１７】本発明の実施形態に係る受信装置による音声の他の選択例を示す図である。
【図１８】本発明の実施形態に係る受信装置による音声の他の選択例を示す図である。
【図１９】従来の受信装置に係る音声の選択例を示す図である。
【図２０】従来の受信装置に係る音声の他の選択例を示す図である。
【図２１】従来の受信装置に係る音声の他の選択例を示す図である。
【図２２】従来の受信装置に係る音声の他の選択例を示す図である。
【発明を実施するための形態】
【００１３】
本発明の実施形態について、図面を参照しながら説明する。
図１は、本実施形態に係る放送システム１の構成を示すブロック図である。放送システム１は、送信装置１０と、受信装置３０とを含んで構成される。
【００１４】
送信装置１０は、放送番組の番組データを受信装置３０に放送伝送路２０を介して送信する。番組データは、例えば、音声データと映像データとを含む。送信される音声データは１種類に限らず、並行して複数の属性の音声データを含むことがある。属性には、例えば、再生方式、言語、音声の種類がある。再生方式とは、再生に係る音声のチャンネル数、各チャンネルの音声を再生するためのスピーカの配置を意味する。再生方式は、音声モードと呼ばれることがある。再生方式は、例えば、サラウンド５．１ｃｈ、２．０ｃｈ、等である。言語は、発話音声もしくは合成音声で表現される言語情報を表すために用いられる言語である。音声の種類とは、番組で提供される音声で表現される内容の区別である。音声の種類には、例えば、番組の主たる内容を表す主音声、従たる内容を表す副音声、主たる内容を解説する解説音声、特定の出演者のせりふや歌唱、などがある。また、同一の種類の音声の種類が、異なる再生方式やチャンネルで並行して提供されることがある。このようなサービスをサイマルキャストと呼ぶ。サイマルキャストは、サイマル放送もしくは単にサイマルと呼ばれることもある。以下の説明では、当該サービス自体、又は当該サービスで提供される音声の一部又は全部をサイマル音声と呼ぶことがある。また、以下の説明では、再生方式（チャンネル数）や、複数のチャンネルのうちダイアログ音声として用いられているチャンネルをチャンネル状態と総称することがある。つまり、チャンネル状態も音声の属性の要素である。送信される音声データの属性やそれらの数は、つまり音声の編成は、番組やその一部の区間に応じて変化することがある。音声データの例については、後述する。なお、送信装置１０は、例えば、放送事業者の放送設備を構成する。
【００１５】
放送伝送路２０は、送信装置１０が送信する各種のデータを不特定多数の受信装置３０に一方向的かつ一斉に伝送する伝送路である。放送伝送路２０は、例えば、放送衛星で中継される所定の周波数帯域の電波（放送波）である。放送伝送路２０の一部には、通信回線、例えば、送信装置１０から電波を送信するための送信設備までの通信回線が含まれてもよい。なお、本実施形態では、放送伝送路２０を放送衛星で中継されるものとしたが、放送伝送路２０の形態はこれに限られず、地上波であってもよい。
【００１６】
受信装置３０は、送信装置１０から放送伝送路２０を介して受信した番組データに基づく番組の映像を表示し、当該番組の音声を再生する。受信装置３０は、受信した番組データから１個又は複数の属性の音声データを検出する。また、受信装置３０は、番組データに含まれる複数の再生方式のそれぞれを復号する音声処理部（後述）を有し、複数の方式のうち処理可能な方式のいずれかを選択する。受信装置３０は、例えば、テレビジョン受信装置、映像記録装置、等、テレビジョン放送を受信することができる機能を有する電子機器である。
【００１７】
（音声データ）
次に、本実施形態に係る送信装置１０が送信する音声データの例について説明する。図２は、本実施形態に係る送信装置１０が送信する音声データの例を示す図である。この音声データは、構成要素としてアセットＳＴ０１−ＳＴ０６が含まれる。アセットＳＴ０１、ＳＴ０２、ＳＴ０３、ＳＴ０４、ＳＴ０５及びＳＴ０６は、それぞれ番組の再生に用いる制御データにおいてコンポーネントタグ０ｘ１０、０ｘ１１、０ｘ１４、０ｘ１５、０ｘ１８及び０ｘ１９をもって識別される。コンポーネントタグは、個々のアセットを識別するための識別情報である。アセットＳＴ０１は、サラウンド５．１ｃｈの第１音声を表す音声データである。第１音声は、例えば、番組の主音声である。アセットＳＴ０１には、５．１ｃｈのうち３ｃｈがダイアログ音声に割り当てられている。ダイアログ音声とは、再生方式として多チャンネルのサラウンド方式が用いられる場合において、解説音声、映画やドラマのせりふ、所定の歌唱などの発話音声のコンテンツを明瞭に受聴することを目的に所定のチャンネルで再生させる音声である。所定のチャンネルとして、例えば、前方中央（Ｃ：Ｃｅｎｔｅｒ）、前方左（ＦＬ：Ｆｒｏｎｔ  Ｌｅｆｔ）、前方右（ＦＲ：Ｆｒｏｎｔ  Ｒｉｇｈｔ）のいずれかが指定されることがある。ダイアログ音声として、一度に複数のチャンネルが割り当てられることがある。個々のチャンネルのダイアログ音声は、主ダイアログ（ｍａｉｎ）、追加ダイアログ（ａｄｄ１）、追加ダイアログ（ａｄｄ２）などと識別される。主ダイアログは、メインダイアログと呼ばれることもある。図２に示すアセットＳＴ０１では、日本語、英語、仏語の第１音声が、それぞれ主ダイアログ（ｍａｉｎ）、追加ダイアログ（ａｄｄ１）、追加ダイアログ（ａｄｄ２）として割り当てられている。
【００１８】
アセットＳＴ０２は、サラウンド５．１ｃｈの第２音声を表す音声データである。第２音声は、例えば、解説音声である。アセットＳＴ０２には、日本語、英語、仏語の第２音声が、それぞれ主ダイアログ（ｍａｉｎ）、追加ダイアログ（ａｄｄ１）、追加ダイアログ（ａｄｄ２）として割り当てられている。
アセットＳＴ０３は、サラウンド５．１ｃｈの第１音声を表す音声データである。アセットＳＴ０３の音声の主たる言語は、英語である。
アセットＳＴ０４は、サラウンド５．１ｃｈの第１音声を表す音声データである。アセットＳＴ０４の音声の主たる言語は、仏語である。
アセットＳＴ０５は、ステレオ２．０ｃｈの第１音声を表す音声データである。
アセットＳＴ０６は、ステレオ２．０ｃｈの第２音声を表す音声データである。アセットＳＴ０５、ＳＴ０６の音声の主たる言語は、それぞれ日本語である。受信装置３０は、これらの音声データのいずれかを選択する。
【００１９】
（音声データの選択）
次に、受信装置３０において受信した音声データとして、図２に示すアセットＳＴ０１−ＳＴ０６が送信される場合を例にして、再生対象のアセットの選択例について説明する。図３は、本実施形態に係る受信装置３０における再生対象のアセットの選択例を示す図である。
【００２０】
図３（ａ）は、本実施形態に係る受信装置３０が再生方式としてサラウンド５．１ｃｈの音声を再生することができ、かつ、ダイアログ音声を選択することができる場合を例にする。受信装置３０は、図２に示すアセットＳＴ０１−ＳＴ０６の音声データを受信し、そのうち、受信装置３０の再生制御部（後述）は、アセットＳＴ０３、ＳＴ０４を無視し、アセットＳＴ０１、ＳＴ０２、ＳＴ０５、ＳＴ０６が再生対象の候補となる。アセットＳＴ０３、ＳＴ０４は、日本語以外の副言語である英語、仏語のサラウンド５．１ｃｈの第１音声に係るアセットである。  アセットＳＴ０３、ＳＴ０４を無視するのは、アセットＳＴ０１が副言語である英語、仏語のダイアログ音声のチャンネルを含むためである。ダイアログ音声については、後述する。受信装置３０の再生制御部は、再生方式ならびに音声の種類として、アセットＳＴ０１（第１音声５．１）、ＳＴ０２（第２音声５．１）、ＳＴ０５（第１音声２．０）及びＳＴ０６（第２音声２．０）のいずれかを音声切替操作がなされる都度、循環的に切り替える。受信装置３０の再生制御部は、アセットＳＴ０１、ＳＴ０２のいずれかが選択されている場合には、日本語の音声（ｍａｉｎ）、英語の音声（ａｄｄ１）及び仏語の音声（ａｄｄ２）のいずれかを言語切替操作がなされる都度、循環的に切り替える。従って、受信装置３０は、サラウンド５．１ｃｈの音声の再生時において、他の言語のダイアログ音声を再生対象としてアセットの変更や、その変更により音声の種類（第１音声、第２音声の区別）を変更せずに選択することができる。
【００２１】
図３（ｂ）は、受信装置３０が再生方式としてサラウンド５．１ｃｈの音声を再生することができるが、ダイアログ音声を選択できない場合を例にする。受信装置３０の再生制御部は、図３（ａ）に示す例とは異なり、ダイアログ音声として提供される英語、仏語の音声を利用できないため、英語の第１音声に係るＳＴ０３と仏語の第２音声に係るＳＴ０４を無視しない。受信装置３０の再生制御部は、再生方式ならびに音声の種類として、アセットＳＴ０１（第１音声５．１）、ＳＴ０２（第２音声５．１）、ＳＴ０５（第１音声２．０）及びＳＴ０６（第２音声２．０）のいずれかを音声切替操作がなされる都度、循環的に切り替える。受信装置３０の再生制御部は、アセットＳＴ０１が選択されている場合には、英語の第１音声に係るアセットＳＴ０３、及び仏語の第１音声に係るアセットＳＴ０４のいずれかを言語切替操作がなされる都度、循環的に切り替える。この例では、受信装置３０は、サラウンド５．１ｃｈの第１音声の再生時において、再生対象の音声に係るアセットを切り替えることにより、再生される音声の言語を切り替える。但し、この例では、より多くのアセットの利用を避けるため、サラウンド５．１ｃｈの第２音声として英語、仏語の音声が採用されない。
【００２２】
図３（ｃ）は、受信装置３０が再生方式としてサラウンド５．１ｃｈの音声の再生も、ダイアログ音声の選択もできない場合を例にする。受信装置３０の再生制御部は、自装置において再生可能な再生方式としてステレオ２．０ｃｈのアセットＳＴ０５（第１音声２．０）及びＳＴ０６（第２音声２．０）のいずれかを音声切替操作がなされる都度、循環的に切り替える。また、図３（ｃ）に示す例では、受信装置３０の再生制御部は、英語などの他言語のステレオ音声のアセットを無視する。そのため、受信装置３０の再生制御部は、言語切替操作がなされる場合でも、再生対象の音声に係るアセット又はチャンネルの切り替えに応じて言語の切り替えを行わない。
【００２３】
（送信装置の構成）
次に、本実施形態に係る送信装置１０の構成について説明する。
図４は、本実施形態に係る送信装置１０の構成を示すブロック図である。送信装置１０は、番組データ取得部１１、制御データ取得部１２、多重化部１３、変調部１４及び送信部１５を含んで構成される。
【００２４】
番組データ取得部１１は、送信装置１０の外部から番組データを取得する。番組データは、放送番組の内容（コンテンツ）を表すデータである。番組データは、例えば、放送番組を構成する映像データ、音声データ、テキストデータなどが含まれる。番組データ取得部１１は、取得した番組データを多重化部１３に出力する。
【００２５】
制御データ取得部１２は、送信装置１０の外部から制御データを取得する。制御データは、例えば、ＭＭＴ（ＭＰＥＧ  Ｍｅｄｉａ  Ｔｒａｎｓｐｏｒｔ）方式におけるＭＭＴ−ＳＩ（Ｓｅｒｖｉｃｅ  Ｉｎｆｏｒｍａｔｉｏｎ）である。ＭＭＴ−ＳＩには、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。ＭＰＴは、放送番組の構成要素であるアセット、つまり映像、音声のリストや、それらの提供条件を示す情報を含むテーブルである。言い換えれば、アセットのリストは、その時点で放送される番組における音声データをはじめとする番組データの編成を示す。ＭＨ−ＥＩＴは、その時点から所定期間内に放送もしくは放送予定の番組に関する情報、例えば、番組の名称、放送時間、放送内容の説明などを示す情報を含むテーブルである。そのため、ＭＰＴが示す音声の編成は、時間の経過もしくは放送チャンネルの切り替えに伴う番組やその一部の区間であるセグメント（コーナとも呼ばれる）の切り替えに応じて更新される。制御データ取得部１２は、取得した制御データを多重化部１３に出力する。
【００２６】
多重化部１３には、番組データ取得部１１から入力された番組データと、制御データ取得部１２から入力された制御データを多重化して多重化データを生成する。多重化部１３は、生成した多重化データを変調部１４に出力する。
変調部１４は、多重化部１３から入力された多重化データを所定の変調方式（例えば、ＱＰＳＫ：Ｑｕａｄｒａｔｕｒｅ  Ｐｈａｓｅ−ｓｈｉｆｔ  Ｋｅｙｉｎｇ）を用いて変調して基底周波数帯域の放送信号を生成し、生成した放送信号を送信部１５に出力する。
送信部１５は、変調部１４から入力された基底周波数帯域の放送信号に基づいて、所定の周波数の搬送波を変調して放送チャンネルの周波数帯域の放送信号を生成し、生成した放送信号を放送波として放射する。これにより、制御データと番組データを多重化した多重化データを搬送する放送信号が放送伝送路２０を介して伝送される。
【００２７】
（ＭＰＴのデータ構造）
次に、構成情報に含まれるＭＰＴの例について説明する。
図５は、ＭＰＴの例を示す図である。本図に示す例では、ＭＰＴは、アセット毎にアセットタイプ（ａｓｓｅｔ＿ｔｙｐｅ）とアセット記述子領域（ａｓｓｅｔ＿ｄｅｓｃｒｉｐｔｏｒｓ＿ｂｙｔｅ）を含む。アセット記述子領域（ａｓｓｅｔ＿ｄｅｓｃｒｉｐｔｏｒｓ＿ｂｙｔｅ）は、各種の記述子が記述される領域である。アセット記述子領域（ａｓｓｅｔ＿ｄｅｓｃｒｉｐｔｏｒｓ＿ｂｙｔｅ）には、例えば、ＭＨ−音声コンポーネント記述子（ＭＨ−Ａｕｄｉｏ＿Ｃｏｍｐｏｎｅｎｔ＿Ｄｅｓｃｒｉｐｔｏｒ（））が記述される。ＭＨ−音声コンポーネント記述子（ＭＨ−Ａｕｄｉｏ＿Ｃｏｍｐｏｎｅｎｔ＿Ｄｅｓｃｒｉｐｔｏｒ（））は、番組を構成する音声データに関するパラメータが記述される記述子である。アセットタイプ（ａｓｓｅｔ＿ｔｙｐｅ）には、アセットの種類を示す符号が記述される。アセットタイプ（ａｓｓｅｔ＿ｔｙｐｅ）として、例えば、ＨＥＶＣで符号化された映像データを示すｈｃｖ１、ＭＰＥＧ−４オーディオで符号化された音声データを示すｍｐ４ａなどが記述される。
【００２８】
（ＭＨ−音声コンポーネント記述子のデータ構造）
次に、ＭＨ−音声コンポーネント記述子の例について説明する。
図６は、ＭＨ−音声コンポーネント記述子の例を示す図である。本図に示す例では、ＭＨ−音声コンポーネント記述子（ＭＨ−Ａｕｄｉｏ＿Ｃｏｍｐｏｎｅｎｔ＿Ｄｅｓｃｒｉｐｔｏｒ（）は、コンポーネントタグ（ｃｏｍｐｏｎｅｎｔ＿ｔａｇ）、コンポーネント種別（ｃｏｍｐｏｎｅｎｔ＿ｔｙｐｅ）、サイマルキャストグループ識別（ｓｉｍｕｌｃａｓｔ＿ｇｒｏｕｐ＿ｔａｇ）、主コンポーネントフラグ（ｍａｉｎ＿ｃｏｍｐｏｎｅｎｔ＿ｆｌａｇ）及び言語コード（ＩＳＯ＿６３９＿ｌａｎｇｕａｇｅ＿ｃｏｄｅ）を含む。コンポーネントタグ（ｃｏｍｐｏｎｅｎｔ＿ｔａｇ）には、個々の再生方式の音声データのアセット、つまりコンポーネントストリームを識別する番号が記述される。コンポーネント種別（ｃｏｍｐｏｎｅｎｔ＿ｔｙｐｅ）の最下位５ビットには、再生方式を示す番号が記述される。なお、コンポーネント種別（ｃｏｍｐｏｎｅｎｔ＿ｔｙｐｅ）の最上位１ビットは、ダイアログ制御情報の有無を表す。以下の説明では、コンポーネントタグに当該音声アセットのアセットＩＤが記述することで、コンポーネントストリームが識別されるものとする。サイマルキャストグループ識別（ｓｉｍｕｌｃａｓｔ＿ｇｒｏｕｐ＿ｔａｇ）には、１つのサイマルキャストを行う音声データのグループに属する音声データに対して同一の番号が記述される。但し、サイマルキャストを行わない音声データについては、特定の符号‘０ｘＦＦ’が記述される。従って、サイマル音声を提供する場合には、アセット間で共通であって、‘０ｘＦＦ’以外の番号がサイマルキャストグループ識別（ｓｉｍｕｌｃａｓｔ＿ｇｒｏｕｐ＿ｔａｇ）に記述される。サイマル音声に係らないアセットについては、０ｘＦＦ’がサイマルキャストグループ識別（ｓｉｍｕｌｃａｓｔ＿ｇｒｏｕｐ＿ｔａｇ）に記述される。主コンポーネントフラグ（ｍａｉｎ＿ｃｏｍｐｏｎｅｎｔ＿ｆｌａｇ）は、その音声データが主音声であるか否かを示すフラグである。例えば、主音声として、番組の主たる内容を表す第１音声に係る音声データが主音声として指定されることがある。言語コード（ＩＳＯ＿６３９＿ｌａｎｇｕａｇｅ＿ｃｏｄｅ）は、そのアセットに係る音声の主たる言語を表す情報である。言語コードとして、“ｊｐｎ”、“ｅｎｇ”、“ｆｒａ”、“ｇｅｒ”は、それぞれ、日本語、英語、仏語、独語を示す。
【００２９】
音声データには、ダイアログ音声のチャンネルやその言語情報を示すダイアログ制御情報が追加されることがある。ダイアログ制御情報の有無は、アセット毎のコンポーネント種別（ｃｏｍｐｏｎｅｎｔ＿ｔｙｐｅ）の最上位１ビットに設定されるフラグで表される。例えば、フラグの値が「１」、「０」は、それぞれ音声データがダイアログ制御情報を含むこと、含まないことを示す。ダイアログ制御情報は、音声データの構成として、例えば、ＭＰＥＧ−４  ＡＡＣ（Ａｄｖａｎｃｅｄ  Ａｕｄｉｏ  Ｃｏｄｉｎｇ）方式に準拠する音声フォーマットに含まれてもよい。当該フォーマットでは、ダイアログ音声のチャンネル（ｉｎｄｅｘ  ｍａｐｐｉｎｇ  ｆｏｒ  ｄｉａｌｏｇｕｅ＿ｓｒｃ＿ｉｎｄｅｘ）、ダイアログ音声のチャンネル数（ｎｕｍ＿ｄｉａｌｏｇｕｅ＿ｃｈａｎｓ）、主ダイアログの言語コード（ｄｉａｌｏｇｕｅ＿ｍａｉｎ＿ｌａｎｇ＿ｃｏｄｅ）、追加ダイアログの言語コード（ｄｉａｌｏｇｕｅ＿ａｄｄｉｔｉｏｎａｌ＿ｌａｎｇ＿ｃｏｄｅ［ｉ］）などが、ダイアログ制御情報の要素として指定可能である。追加ダイアログは、ダイアログ音声のチャンネル数が２以上である場合に設けられ、各チャンネルについて言語などの属性が設定される。追加ダイアログは、複数個設定可能である。ダイアログ制御情報が示す個々のダイアログ音声に係る設定は、そのダイアログ音声が属するアセットに対する設定よりも優先される。例えば、５．１ｃｈサラウンド音声の言語コードが日本語である場合でも、主ダイアログの言語コードが英語を示す場合には、主ダイアログの言語は英語と判定される。なお、ダイアログ音声のチャンネルは、ダイアログ専用チャンネルと呼ばれることもある。
【００３０】
（再生方式の例）
次に、コンポーネント種別（ｃｏｍｐｏｎｅｎｔ＿ｔｙｐｅ）に記述される再生方式の例について説明する。
図７は、コンポーネント種別の例を示す図である。本図には、コンポーネントタグの最下位５ビットで表される番号として、‘０ｘ０１’、‘０ｘ０２’、‘０ｘ０３’、‘０ｘ０９’、‘０ｘ０Ｃ’、‘０ｘ１１’が列挙されている。‘０ｘ０１’、‘０ｘ０２’、‘０ｘ０３’、‘０ｘ０９’、‘０ｘ０Ｃ’、‘０ｘ１１’は、再生方式としてそれぞれ１／０モード、１／０＋１／０モード、２／０モード、３／２．１モード、５／２．１モード、３／３／３−５／２／３−３／０／０．２モードを示す値である。ここで、…／〜とは、受聴点を基準とした再生用スピーカの配置が、前方に…個（…音声チャンネル）であり、後方に〜個（〜音声チャンネル）であることを意味する。また、小数点以下の数値は、低域の音声を再生するための音声チャンネル数を示す。なお、音声チャンネルは、音声の再生単位であるチャンネルを意味し、放送波の周波数帯域を示す放送チャンネルと区別される。従って、１／０モードは、シングルモノ１．０ｃｈを示す。１／０＋１／０モードはデュアルモノ１．０ｃｈ×２を示す。２／０モードは、ステレオ２．０ｃｈを示す。３／２．１モードは、サラウンド５．１ｃｈを示す。５／２．１モードは、サラウンド７．１ｃｈを示す。なお、３／３／３−５／２／３−３／０／０．２モードは、サラウンド２２．２ｃｈを示す。３／３／３−５／２／３−３／０／０．２モードの３／３／３とは、スピーカの配置が、受聴点を基準として上層前方、側方、後方に３個ずつであることを示す。５／２／３とは、スピーカの配置が、受聴点を基準として中層前方、側方、後方にそれぞれ５、２、３個であることを示す。３／０／０．２とは、スピーカの配置が、受聴点を基準として下層前方、側方、後方にそれぞれ５、０、２個であることを示す。但し、下層後方の２チャンネルは、いずれも低域の音声を再生するためのチャンネルである。
【００３１】
（受信装置の構成）
次に、本実施形態に係る受信装置３０の構成について説明する。
図８は、本実施形態に係る受信装置３０の構成を示すブロック図である。受信装置３０は、受信部３１１、復号部３１２、分離部３１３、音声処理部３１４、拡声部３１５、映像復号部３１６、映像合成部３１７、表示部３１８、記憶部３２２、操作入力部３２３及び制御部３３１を含んで構成される。
【００３２】
受信部３１１は、送信装置１０から放送波として放送伝送路２０を介して伝送された放送信号を受信する。受信部３１１は、制御部３３１から入力された選局信号で指定される放送チャンネルの周波数帯域を特定する。受信部３１１は、放送波として受信した放送チャンネルの周波数帯域の放送信号をダウンコンバートしてベースバンドの放送信号を生成する。受信部３１１は、生成した放送信号を復号部３１２に出力する。
復号部３１２は、受信部３１１から入力された放送信号を、送信装置１０の変調部１４で用いられた変調方式に対応する復調方式を用いて復調することによって、多重化データを生成する。復号部３１２は、生成した多重化データを分離部３１３に出力する。
【００３３】
分離部３１３は、復号部３１２から入力された多重化データから番組データ及び制御データに分離する。分離部３１３は、制御データから抽出されたＭＰＴを参照して番組データからアセット毎の音声データと映像データを抽出する。分離部３１３は、抽出したアセット毎の音声データを音声処理部３１４に出力し、映像データを映像復号部３１６に出力する。分離部３１３は、分離した制御データを分離部３１３に出力する。
なお、分離部３１３は、ＭＰＴのアセット毎の記述子領域に記述されたＭＨ−音声コンポーネント記述子のコンポーネントタグを参照してサラウンド音声のアセットについてダイアログ制御情報の有無を判定する。ダイアログ制御情報があると判定されるとき、分離部３１３は、そのアセットの音声データからダイアログ制御情報を抽出し、抽出したダイアログ制御情報を制御部３３１に出力する。
【００３４】
音声処理部３１４は、分離部３１３から入力された音声データを、符号化に用いられた符号化方式（例えば、ＭＰＥＧ−４  オーディオ）と対応する復号方式で復号し、元の音声データに復号する。復号した音声データは、各時刻における音声のレベルを示すデータである。複数のアセットの音声が提供される場合には、音声処理部３１４に複数のアセットの音声データが入力され、制御部３３１から音声選択信号が入力されることがある。音声選択信号は、複数のアセットのうち、いずれかのアセットの音声を指示する信号である。また、指示されたアセットがサラウンド音声であって、ダイアログ音声を含む場合には、音声選択信号はダイアログ音声のチャンネルをさらに指示することがある。つまり、アセットとダイアログ音声は、再生が指示される単位となる。以下の説明では、アセットとダイアログ音声のチャンネルを音声単位と総称することがある。
【００３５】
音声処理部３１４は、複数のアセットの音声データが入力されるとき、その複数のアセットの音声データのうち、音声選択信号で有効に指定される音声単位に係る音声データを選択する。音声処理部３１４は、選択した音声データについて復号する。有効に指定されるとは、例えば、自部が処理能力を有する再生方式のいずれかが指定されることである。音声処理部３１４は、復号により得られる音声データを拡声部３１５に出力する。よって、複数のアセットの音声が提供される場合、音声選択信号で指定された音声単位の音声が拡声部３１５で再生される。なお、複数のアセットの音声データが入力されるとき、音声選択信号が入力されない場合には、音声処理部３１４は、所定の音声単位について復号により得られる音声データを拡声部３１５に出力する。
【００３６】
拡声部３１５は、音声処理部３１４から入力された音声データに基づく音声を再生する。拡声部３１５は、例えば、スピーカを含んで構成される。拡声部３１５は、少なくとも所定のチャンネル数に相当する個数のスピーカを含んで構成される。所定のチャンネル数とは、音声処理部３１４において音声データを処理可能な再生方式で用いられるチャンネル数（例えば、５．１ｃｈ）の最大値に相当する。これにより、拡声部３１５は、音声処理部３１４から入力された複数のチャンネルの音声データによる音声を再生することができる。
【００３７】
映像復号部３１６は、分離部３１３から入力された映像データを、符号化に用いられた符号化方式（例えば、ＨＥＶＣ）と対応する復号方式で入力された映像データを復号し、元の映像データを生成する。復号した映像データは、各時刻における映像（フレーム画像）を形成する信号値を示すデータである。映像復号部３１６は、復号した映像データを映像合成部３１７に出力する。
映像合成部３１７は、映像復号部３１６から入力された映像データと、制御部３３１から入力された各種の画面データとを合成し、表示用の映像を示す映像データを生成する。画面データには、例えば、ダイアログ音声や多言語の音声の提供開始を通知するための案内画面データ、言語や音声の種類などの設定項目を選択するための設定画面データ、等がある。
表示部３１８は、映像合成部３１７から入力された映像データに基づく映像を再生する。従って、表示部３１８には、受信した映像データに係る映像にＧＵＩ画面が重畳して表示される。表示部３１８は、例えば、液晶ディスプレイ（ＬＣＤ：Ｌｉｑｕｉｄ  Ｃｒｙｓｔａｌ  Ｄｉｓｐｌａｙ）を含んで構成される。
【００３８】
記憶部３２２は、各種のデータを記憶する。記憶部３２２は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
操作入力部３２３は、ユーザによる操作入力に応じた操作信号を取得し、取得した操作信号を制御部３３１に出力する。操作信号は、例えば、電源のオン／オフを示す信号、放送波のチャネルを示す信号、再生する音声の言語を示す信号などがある。操作入力部３２３は、例えば、操作ボタン、リモートコントローラ、携帯端末装置等の電子機器から操作信号を受信する入力インタフェース、等である。
【００３９】
制御部３３１は、受信装置３０の種々の動作を制御する。例えば、制御部３３１は、受信している番組の構成を示す構成情報としてＭＰＴを解析して提供されるアセットの編成を解析する。番組において複数のアセットの音声データが提供される場合には、制御部３３１は、複数の属性の音声を含む音声データの編成を解析する。分離部３１３からダイアログ制御情報が入力される場合には、制御部３３１は、音声の編成の解析において、さらにダイアログ制御情報を構成情報の一部として用いる。また、制御部３３１は、操作入力部３２３からの操作信号により選択された属性を示す選択情報の履歴を生成し、音声の編成が変更されるとき選択情報が示す音声の属性のうち最後に選択された属性に係る音声単位を、他の属性に係る音声単位よりも優先して選択する。制御部３３１は、選択した音声単位を示す音声選択信号を生成し、生成した音声選択信号を音声処理部３１４に出力する。
【００４０】
（音声処理部の構成）
次に、本実施形態に係る音声処理部３１４の構成について説明する。図９は、本実施形態に係る音声処理部３１４の構成を示すブロック図である。音声処理部３１４は、各再生方式について復号処理を行う複数の復号処理部３１４２と、選択部３１４３とを含んで構成される。
【００４１】
復号処理部３１４２は、アセット毎の音声データを、それぞれのアセットについて指定された再生方式で音声データを復号し、復号により得られる音声データを選択部３１４３に出力する。図９に示す個別の復号処理部３１４２−１、３１４２−２、…、等、のそれぞれは、個々のアセットの音声データを復号する。個々のアセットは、ＭＰＴを参照して特定される。１つの再生方式について複数のアセットにより、各アセットについてそれぞれ異なる言語または種類の音声データが入力された場合でも、復号処理部３１４２は、全体としてそれぞれの音声データを並行して復号することができる。
【００４２】
選択部３１４３は、それぞれの復号処理部３１４２から入力された音声データから、制御部３３１から入力された音声選択信号で指示された音声単位の音声データを選択する。音声単位のうち個々のアセットは、ＭＰＴを参照して特定され、ダイアログ音声を含むサラウンド音声を構成する個々のダイアログ音声のチャンネルは、ダイアログ制御情報を参照して特定される。選択部３１４３は、選択した音声データを拡声部３１５に出力する。
【００４３】
（制御部の構成）
次に、本実施形態に係る制御部３３１の構成について説明する。図１０は、本実施形態に係る制御部３３１の構成を示すブロック図である。制御部３３１は、構成情報解析部３３２、再生制御部３３３、表示制御部３３４及び選局部３３５を含んで構成される。
【００４４】
構成情報解析部３３２は、分離部３１３から入力される制御データから番組の構成を示す構成情報としてＭＰＴを解析し、番組を構成するアセットを特定する。そして、構成情報解析部３３２は、ＭＰＴに共通のサイマルキャスト識別が記述され、種別が音声である複数のアセットが含まれているときサイマル音声が存在すると判定し、含まれていないときサイマル音声が存在しないと判定する。サイマル音声が存在する複数のアセット間では、通例、音声データの属性が異なる。構成情報解析部３３２は、ＭＰＴを参照してアセット毎の音声データの属性を特定する。また、構成情報解析部３３２は、ＭＰＴのアセット毎の記述子領域に記述されたコンポーネント種別に基づいて、ダイアログ制御情報が含まれるアセットの有無を判定する。構成情報解析部３３２は、ダイアログ制御情報が含まれるアセットをダイアログ音声の音声データを含むアセットと判定する。構成情報解析部３３２は、分離部３１３から入力されるダイアログ制御情報のうち、判定したアセットのダイアログ制御情報を取得する。構成情報解析部３３２は、取得したダイアログ制御情報を参照して、当該アセットに含まれるダイアログ音声のチャンネルと、そのチャンネル毎の音声の属性を特定する。構成情報解析部３３２は、番組を構成する音声単位と、音声単位毎の音声の属性を示す編成情報を生成する。即ち、編成情報には、ダイアログ音声が設定されているアセットについて、さらにダイアログ音声のチャンネルとチャンネル毎の音声の属性の情報が含まれることがある。構成情報解析部３３２は、生成した編成情報を再生制御部３３３と表示制御部３３４に出力する。
【００４５】
構成情報解析部３３２は、制御データから放送チャンネル毎の番組の放送時間を示す構成情報としてＭＨ−ＥＩＴを抽出する。構成情報解析部３３２は、抽出したＭＨ−ＥＩＴを再生制御部３３３に出力する。
【００４６】
再生制御部３３３は、構成情報解析部３３２から入力される編成情報が示す音声単位のいずれかを選択する。再生制御部３３３は、選択された音声単位を示す音声選択信号を生成する。再生制御部３３３は、生成した音声選択信号を音声処理部３１４に出力する。
例えば、再生制御部３３３は、操作入力部３２３から入力される操作信号で指示される属性を有する音声の音声単位を選択する場合がある。この場合、再生制御部３３３は、選択した音声単位を示す音声選択情報を生成し、生成した音声選択情報を音声処理部３１４に出力する。また、再生制御部３３３は、音声選択情報と、その音声単位に係る属性を示す属性情報とを対応付けてと記憶部３２２に順次記憶する。記憶部３２２に順次記憶された音声選択情報と属性情報の組により選択履歴が形成される。
【００４７】
再生制御部３３３は、構成情報解析部３３２から入力された編成情報に基づいて音声の編成が変更されたか否かを判定する。変更された場合、再生制御部３３３は、選択履歴から読み出した音声選択情報のうち最後に選択された音声単位を示す音声選択情報に対応する属性情報が示す属性に係る音声単位を、他の属性に係る音声単位よりも優先して選択する。従って、最後に選択された属性を有する音声が、他の音声よりも優先して選択される。選択履歴が形成されていない場合には、再生制御部３３３は、設定メニューで設定項目として表される属性のうち、操作入力部３２３からの操作信号で指定された属性を有する音声単位を選択してもよい。ここで、記憶部３２２には、設定メニューで設定項目として表される属性の情報をメニュー設定情報の一部として予め記憶しておいてもよい。また、メニュー設定情報には、後述する優先設定情報が含まれてもよい。
【００４８】
なお、選択履歴も優先設定情報も設定されていない場合には、再生制御部３３３は、所定の優先順位に従って音声単位を選択してもよい。アセット間の優先順位として、再生方式毎のチャンネル数の降順、言語の順序、音声の種類の順序のいずれか、又は組み合わせが用いられてもよい。その場合、例えば、言語がチャンネル数よりも優先され、チャンネル数が音声の種類よりも優先されてもよい。各アセットにコンポーネントタグの番号が、かかる順位に従って割り当てられる場合には、アセット間の優先順位として、アセット毎に設定されたコンポーネントタグの番号が用いられてもよい。ダイアログ音声の優先順位として、言語の順序、音声の種類の順序、チャンネル（スピーカの配置）の順序のいずれか又は組み合わせが用いられてもよい。その場合、例えば、言語が音声の種類よりも優先され、音声の種類がチャンネルよりも優先されてもよい。再生制御部３３３は、選択した音声単位を示す音声選択情報を音声処理部３１４に出力する。
【００４９】
再生制御部３３３は、構成情報解析部３３２から入力されるＭＨ−ＥＩＴに基づいて時間経過に応じた番組の変化を検出する。また、再生制御部３３３は、選局部３３５から入力される選局信号が示す放送チャンネルの変化に応じて番組の変化を検出する。再生制御部３３３は、番組の変化を検出するとき記憶部３２２に記憶した選択履歴を消去してもよい。また、再生制御部３３３は、選局部３３５からの選局信号が示す放送チャンネルの変化を検出するとき記憶部３２２に記憶した選択履歴を消去してもよい。
【００５０】
表示制御部３３４は、受信装置３０の機能に係る各種の画面の表示を制御する。例えば、表示制御部３３４は、構成情報解析部３３２から入力される編成情報に基づいて、複数の言語に係る音声のアセットの提供が開始されると判定するとき、予め記憶した多言語放送案内画面データを記憶部３２２から読み出す。多言語放送案内画面データは、番組において複数の言語の音声が提供されることを通知する多言語放送案内画面を表すデータである。表示制御部３３４は、読み出した多言語放送案内画面データを所定時間（例えば、１５秒間）映像合成部３１７に出力することにより、表示部３１８に多言語放送案内画面を表示させる。また、表示制御部３３４は、当該編成情報に基づいて、ダイアログ音声を含むアセットの提供が開始されると判定するとき、予め記憶したダイアログ音声案内画面データを記憶部３２２から読み出す。ダイアログ音声案内画面データは、番組においてダイアログ音声が提供されることを通知するダイアログ音声案内画面を表すデータである。表示制御部３３４は、読み出したダイアログ音声案内画面データを所定時間、映像合成部３１７に出力することにより、表示部３１８にダイアログ音声案内画面を表示させる。表示制御部３３４は、初回の動作開始時又は操作入力部３２３から入力される操作信号が言語や音声の種類などの設定項目の設定を指示する場合、予め記憶した設定画面データを記憶部３２２から読み出す。表示制御部３３４は、読み出した設定画面データを映像合成部３１７に出力することにより、表示部３１８に設定画面を表示させる。制御部３３１は、設定画面が表示されているとき、操作入力部３２３からの操作信号が指示する設定項目を示す設定情報を生成する。制御部３３１は、生成した設定情報を記憶部３２２に記憶する。
【００５１】
選局部３３５は、操作入力部３２３から放送チャンネルを示す操作信号を検出する。選局部３３５は、検出した操作信号で表される放送チャンネルを示す選局信号を生成し、生成した選局信号を再生制御部３３３と受信部３１１に出力する。
【００５２】
（再生処理）
次に、本実施形態に係る再生処理について説明する。図１１は、本実施形態に係る再生処理を示すフローチャートである。
（ステップＳ１０１）分離部３１３は、送信装置１０から受信した放送信号に基づく多重化データから番組データと制御データに分離する。その後、ステップＳ１０２に進む。
（ステップＳ１０２）構成情報解析部３３２は、制御データから番組の構成を示す構成情報から、番組で提供される音声の編成を示す編成情報を取得する。再生制御部３３３は、音声の編成が変化したか否かを判定する。変化したと判定された場合（ステップＳ１０２  ＹＥＳ）、ステップＳ１０３に進む。変化していないと判定する場合（ステップＳ１０２  ＮＯ）、ステップＳ１０１に戻る。
【００５３】
（ステップＳ１０３）再生制御部３３３は、選択履歴において最後に選択された属性（例えば、チャンネル状態、言語など）を有する音声単位を示す音声選択情報が記録されているか否かを判定する。ここで、「選択された」とは、ユーザの操作に応じて生成された操作信号に基づいて定めることを意味する。記録されていると判定された場合（ステップＳ１０３  ＹＥＳ）、ステップＳ１０３ａに進む。記録されていないと判定された場合（ステップＳ１０３  ＮＯ）、ステップＳ１０５に進む。
（ステップＳ１０３ａ）再生制御部３３３は、記録された音声選択情報が示す音声単位の属性として、同一の属性（つまり、コンポーネント種別と言語）を有する音声単位が、その時点で受信している番組データに存在するか否かを判定する。存在すると判定された場合（ステップＳ１０３ａ  ＹＥＳ）、ステップＳ１０４に進む。存在しないと判定された場合（ステップＳ１０３ａ  ＮＯ）、ステップＳ１０５に進む。
【００５４】
（ステップＳ１０４）再生制御部３３３は、同一と判定された最後に選択された属性として同一コンポーネント種別と言語を有する音声単位をその時点で受信している番組データから選択する。その後、ステップＳ１１０に進む。
【００５５】
（ステップＳ１０５）再生制御部３３３は、記憶部３２２から読み出した優先言語設定情報が示す言語と同一の言語の音声単位が、その時点で受信している番組データに含まれるか否かを判定する。含まれると判定されるとき（ステップＳ１０５  ＹＥＳ）、ステップＳ１０６に進む。含まれないと判定されるとき（ステップＳ１０５  ＮＯ）、ステップＳ１０９に進む。
【００５６】
（ステップＳ１０６）再生制御部３３３は、優先言語設定情報が示す言語と同一の言語の音声単位が、直前に選択された音声を再生しているアセットと同じアセットに存在する（もしくは、同じアセットである）か否かを判定する。存在すると判定されるとき（ステップＳ１０６  ＹＥＳ）、ステップＳ１０７に進む。存在しないと判定されるとき（ステップＳ１０６  ＮＯ）、ステップＳ１０８に進む。
【００５７】
（ステップＳ１０７）再生制御部３３３は、同じアセットに存在する、優先言語設定情報が示す言語と同一の言語の音声単位（もしくは、そのアセット自体）を選択する。その後、ステップＳ１１０に進む。
（ステップＳ１０８）再生制御部３３３は、他のアセットに存在する、優先言語設定情報が示す言語と同一の言語の音声単位（もしくは、そのアセット自体）を選択する。その後、ステップＳ１１０に進む。
（ステップＳ１０９）再生制御部３３３は、所定の優先順位としてコンポーネントタグ値が小さいアセットほど優先して選択する。コンポーネントタグ値は、例えば、チャンネル数が多い再生方式ほど小さい。同一の再生方式では、例えば、音声の種類が主音声であるアセットの方が、それ以外の音声であるアセットよりもコンポーネントタグ値が小さい。同一のチャンネル数及び音声の種類では、日本語、英語、仏語の順にコンポーネントタグ値が大きくなる。また、選択の対象となる音声単位にダイアログ音声のチャンネルが複数個含まれる場合には、再生制御部３３３は、所定のチャンネルの順位又はチャンネル毎の音声の種類や言語の順位でダイアログ音声を選択してもよい。サラウンド５．１ｃｈの場合、所定のチャンネルの順位は、例えば、前方中央、前方左、前方右、後方左、後方右の順である。言語の順位は、例えば、上述した日本語、英語、仏語の順である。その後、ステップＳ１１０に進む。
【００５８】
（ステップＳ１１０）再生制御部３３３は、選択した属性に係る音声単位に係る音声データを音声処理部３１４に出力することにより、選択した属性を有する音声を拡声部３１５に再生させる。その後、図１１に示す処理を終了する。
なお、ステップＳ１０８において、他のアセットに存在する音声単位（もしくは、他のアセット自体）が複数個存在する場合には、再生制御部３３３は、それらの音声単位のいずれかを、ステップＳ１０９と同様に所定のアセットならびにチャンネルの優先順位に従って選択してもよい。
また、優先言語設定情報には複数の言語が設定されている場合がある。そのため、ステップＳ１０７、Ｓ１０８において、同一の言語の音声単位として複数の音声単位が選択されることがある。その場合には、再生制御部３３３は、優先言語設定情報に設定されている優先順位が高い言語に係る音声単位ほど優先して選択してもよい。
【００５９】
（音声の選択例）
次に、本実施形態に係る受信装置３０による音声の選択例について説明する。以下に説明する選択例では、優先言語情報が示す第１言語が日本語、第２言語が英語、第３言語が仏語、であることを前提とする。また、操作入力部３２３から入力される操作信号により指示される音声設定は、予め記憶部３２２に記憶されたメニュー設定情報に含まれる優先言語情報で指示される音声設定よりも優先される。また、選択されていた音声単位が、音声単位の編成の切り替えに応じて失われるとき、再生制御部３３３は、優先言語情報が示す言語毎の優先順位に従って音声単位を選択する。なお、リモートコントローラの音声切替ボタンの押下に伴って生じた操作信号に基づいて言語が選択された場合、再生制御部３３３は、その言語の音声に係る音声単位を選択する。また、操作信号で指定される音声の言語に係る音声単位がない場合には、再生制御部３３３は、優先言語情報が示す優先度（メニューの優先度）に従って選択した言語の音声を含む音声単位を選択する。操作入力部３２３において音声切替を指示するための音声切替ボタンが未使用である場合においても、再生制御部３３３は、優先言語情報が示す優先度に従って選択した言語を含む音声単位を選択してもよい。
【００６０】
また、その時点で選択されたアセットにおいて、選択した言語の音声に係るチャンネルが含まれない場合には、再生制御部３３３は、選択した言語と同一の言語の音声を含む他の音声単位を検索する。再生制御部３３３は、同一の言語の音声単位が複数ある場合には、例えば、コンポーネントタグ値の小さいアセットほど優先して選択し、チャンネル番号が小さいチャンネルほど優先して選択してもよい。また、以下に説明する例では、同一の放送チャンネルで放送されるアセット毎のコンポーネントタグ値は、属性（言語、コンポーネント種別、などのセット）が共通であるアセットについて共通の値が設定される。つまり、同一の放送チャンネルで番組の切り替わりに関わらず、放送されるアセットの属性が同一で場合には、そのコンポーネントタグ値が変化しない。コンポーネントタグ値は、チャンネル数が多いアセットほど大きく、同一のチャンネル数のアセットについては、音声の種類として主音声（第１音声）よりも副音声（第２音声）のアセットのほうが大きくてもよい。ダイアログ音声のチャンネル番号は、例えば、ｍａｉｎ、ａｄｄ１、ａｄｄ２のそれぞれについて、順に１、２、３と大きくなるように設定されてもよい。これにより、ｍａｉｎがａｄｄ１よりも、ａｄｄ１がａｄｄ２よりも優先される。
【００６１】
図１２は、本実施形態に係る受信装置３０による音声の選択例を示す図である。図１２に示す例では、番組の切り替えに応じて音声データの編成がａｒ０１−１、ａｒ０１−２、ａｒ０１−３と切り替わる。編成ａｒ０１−１、ａｒ−０１−２、ａｒ０１−３は、いずれも音声の再生方式がサラウンド５．１ｃｈであるアセットと、ステレオ２．０ｃｈであるアセットを含む。但し、編成ａｒ０１−１では日本語、英語及び仏語の音声が提供されるのに対し、編成ａｒ０１−２では仏語の音声は提供されなくなる。そして、編成ａｒ０１−３では、再度仏語の音声が提供される。仏語の音声は、編成ａｒ０１−１、ａｒ０１−３のそれぞれにおいて、サラウンド５．１ｃｈのダイアログ音声のチャンネル（ａｄｄ２）とステレオ２．０ｃｈのアセットで提供される。編成ａｒ０１−１において選択されたサラウンド５．１ｃｈのダイアログ音声のチャンネル（ａｄｄ２）は、編成ａｒ０１−２に切り替わると失われる。このとき、再生制御部３３３は、優先言語設定情報が示す言語として、操作により最後に選択された日本語の音声のチャンネルが、直前まで選択されていたサラウンド５．１ｃｈのアセットに存在すると判定する。再生制御部３３３は、その日本語の音声のチャンネルとしてダイアログ音声のチャンネル（ｍａｉｎ）を選択する。その後、編成ａｒ０１−３に切り替わるとき、サラウンド５．１ｃｈのアセットに仏語のダイアログ音声のチャンネルが再度含まれる。このとき、再生制御部３３３は、選択履歴に記録された、最後に選択された属性として仏語の音声のチャンネル（ａｄｄ２）を選択する。
【００６２】
なお、図１２において、符号０ｘ１０、０ｘ１８、０ｘ１９、０ｘ１Ａは、それぞれのアセットを示すコンポーネントタグである。図１２に示す例では、チャンネル数が多い再生方式に係るアセットほど、コンポーネントタグ値が小さい。また、言語間では、日本語、英語、仏語の順にコンポーネントタグ値が大きくなる。これらのコンポーネントタグ値は、アセットの属性に応じて一律に与えられるので、操作信号や優先設定情報を取得できない場合には、再生制御部３３３は、コンポーネントタグ値が小さいアセットほど優先してアセットを選択してもよい。
図１３は、本実施形態に係る受信装置３０による音声の他の選択例を示す図である。図１３に示す例では、番組の切り替えに応じて音声データの編成がａｒ０２−１、ａｒ０２−２、ａｒ０２−３と切り替わる。編成ａｒ０２−１、ａｒ０２−２は、いずれも音声の再生方式がサラウンド５．１ｃｈであるアセットと、ステレオ２．０ｃｈであるアセットを含む。編成ａｒ０２−１において選択されたサラウンド５．１ｃｈのダイアログ音声のチャンネル（ａｄｄ１）は、編成ａｒ０１−２に切り替わっても維持され、そのまま選択される。但し、編成ａｒ０２−３ではサラウンド５．１ｃｈであるアセットが失われる。このとき、再生制御部３３３は、選択履歴に記録された、最後に選択された属性として英語の音声が、提供される音声データのうちステレオ２．０ｃｈのアセットに存在すると判定する。再生制御部３３３は、その英語の音声に係るステレオ２．０ｃｈのアセットを選択する。
【００６３】
図１４は、本実施形態に係る受信装置３０による音声の他の選択例を示す図である。図１４に示す例では、番組の切り替えに応じて音声データの編成がａｒ０３−１、ａｒ０３−２、ａｒ０３−３と切り替わる。編成ａｒ０３−１、ａｒ０３−２は、いずれも音声の再生方式がサラウンド５．１ｃｈであるアセットと、ステレオ２．０ｃｈであるアセットを含む。編成ａｒ０３−１において選択されたサラウンド５．１ｃｈのダイアログ音声のチャンネル（ａｄｄ２）は、編成ａｒ０３−２に切り替わると失われる。このとき、再生制御部３３３は、優先言語設定情報が示す第１優先言語として、日本語のダイアログ音声のチャンネルが、直前まで選択されたサラウンド５．１ｃｈのアセットに存在すると判定する。再生制御部３３３は、その日本語の音声に係るダイアログ音声のチャンネル（ｍａｉｎ）を選択する。編成ａｒ０３−３ではサラウンド５．１ｃｈであるアセットが失われる。このとき、再生制御部３３３は、選択履歴に記録された、最後に選択された属性として仏語の音声が、提供される音声データのうちステレオ２．０ｃｈのアセットに存在すると判定する。再生制御部３３３は、その仏語の音声に係るステレオ２．０ｃｈのアセットを選択する。
【００６４】
図１５は、本実施形態に係る受信装置３０による音声の他の選択例を示す図である。図１５に示す例では、番組の切り替えに応じて音声データの編成がａｒ０４−１、ａｒ０４−２、ａｒ０４−３と切り替わる。編成ａｒ０４−１、ａｒ０４−２は、いずれも音声の再生方式がステレオ２．０ｃｈであるアセットを含む。編成ａｒ０４−１において選択された仏語の音声に係るステレオ２．０ｃｈのアセットは、編成ａｒ０４−２に切り替わると失われる。このとき、再生制御部３３３は、優先言語設定情報が示す言語として、日本語のダイアログ音声のアセットが、直前まで選択されたアセットと再生方式が共通であるステレオ２．０ｃｈのアセットに存在すると判定する。再生制御部３３３は、その日本語の音声に係るステレオ２．０ｃｈのアセットを選択する。編成ａｒ０４−３ではサラウンド５．１ｃｈのアセットが失われる代わりに、仏語の音声に係るステレオ２．０ｃｈのアセットが再度含まれる。このとき、再生制御部３３３は、選択履歴に記録された、最後に選択された属性として仏語の音声が、提供される音声データのうちステレオ２．０ｃｈのアセットに存在すると判定する。再生制御部３３３は、その仏語の音声に係るステレオ２．０ｃｈのアセットを選択する。
【００６５】
図１６は、本実施形態に係る受信装置３０による音声の他の選択例を示す図である。図１６に示す例では、番組の切り替えに応じて音声データの編成がａｒ０５−１、ａｒ０５−２、ａｒ０５−３と切り替わる。編成ａｒ０５−１、ａｒ０５−２、ａｒ０５−３は、いずれも音声の再生方式がサラウンド５．１ｃｈであるアセットが２個と、ステレオ２．０ｃｈであるアセットを１個含む。サラウンド５．１ｃｈの２個のアセットの一方のアセットについて、音声の種類は第１音声であり、他方のアセットについて、音声の種類は第２音声である。編成ａｒ０５−１における第２音声のアセットにおいて選択された仏語のダイアログ音声のチャンネル（ａｄｄ２）は、編成ａｒ０５−２に切り替わると失われる。このとき、再生制御部３３３は、優先言語設定情報が示す言語として、日本語のダイアログ音声のチャンネルが、直前まで選択されたアセットに存在すると判定する。再生制御部３３３は、その日本語の音声に係るダイアログ音声のチャンネル（ｍａｉｎ）を選択する。編成ａｒ０５−３では、そのアセットにおいて仏語のダイアログ音声のチャンネル（ａｄｄ２）が再度含まれる。このとき、再生制御部３３３は、選択履歴に記録された、最後に選択された属性として仏語のダイアログ音声のチャンネル（ａｄｄ２）が、提供される音声データのうち直前まで選択されたアセットに存在すると判定する。再生制御部３３３は、そのアセットにおける仏語のダイアログ音声のチャンネル（ａｄｄ２）を選択する。
【００６６】
図１７は、本実施形態に係る受信装置３０による音声の他の選択例を示す図である。図１７に示す例では、番組の切り替えに応じて音声データの編成がａｒ０６−１、ａｒ０６−２、ａｒ０６−３と切り替わる。編成ａｒ０６−１、ａｒ０６−２は、いずれも音声の再生方式がサラウンド５．１ｃｈであるアセットが２個と、ステレオ２．０ｃｈであるアセットを１個含む。編成ａｒ０６−１の再生方式がサラウンド５．１ｃｈである第２音声のアセットにおいて選択された仏語のダイアログ音声のチャンネル（ａｄｄ２）は、編成ａｒ０６−２に切り替わると失われる。このとき、再生制御部３３３は、優先言語設定情報が示す最優先の言語として、日本語のダイアログ音声のチャンネルが、直前まで選択されたアセットに存在すると判定する。再生制御部３３３は、その日本語の音声に係るダイアログ音声のチャンネル（ｍａｉｎ）を選択する。編成ａｒ０６−３に切り替わると、選択されたダイアログ音声のチャンネルを含むアセットが失われる。このとき、再生制御部３３３は、直前まで選択されたアセットと同一の再生方式であるサラウンド５．１ｃｈであって音声の種類が第１音声であるアセットに、選択履歴に記録された、最後に選択された属性として仏語のダイアログ音声のチャンネル（ａｄｄ２）が存在すると判定する。再生制御部３３３は、そのアセットにおける仏語のダイアログ音声のチャンネル（ａｄｄ２）を選択する。
【００６７】
図１８は、本実施形態に係る受信装置３０による音声の他の選択例を示す図である。図１８に示す例では番組の切り替えに応じて音声データの編成がａｒ０７−１、ａｒ０７−２、ａｒ０７−３と切り替わる。編成ａｒ０７−１、ａｒ０７−２は、図１７に示す編成ａｒ０６−１、ａｒ０６−２と同様である。編成ａｒ０７−３は、音声の再生方式がサラウンド５．１ｃｈであるアセットと、ステレオ２．０ｃｈであるアセットを各１個含む。但し、編成ａｒ０７−３のサラウンド５．１ｃｈのアセットにおいて、ダイアログ音声のチャンネルには、主たる言語（例えば、日本語）以外の外国語の音声は割り当てられていない。当該アセットのダイアログ音声のチャンネルとして、主音声のチャンネル（ｍａｉｎ）、解説音声のチャンネル（ａｄｄ１）、その他の解説音声のチャンネル（ａｄｄ２）が含まれる。図１８に示す例では、編成ａｒ０７−１、ａｒ０７−２において、仏語のダイアログ音声のチャンネル（ａｄｄ２）、日本語のダイアログ音声のチャンネル（ａｄｄ１）それぞれ選択される。編成ａｒ０７−３に切り替わると、選択されたダイアログ音声のチャンネルを含むアセットが失われる。このとき、再生制御部３３３は、直前まで選択されたアセットと同一の再生方式であるサラウンド５．１ｃｈのうち、残されたアセットとして音声の種類が第１音声であるアセットに、選択履歴に記録された、最後に選択された属性として仏語のダイアログ音声のチャンネルが存在しないと判定する。そして、再生制御部３３３は、優先言語設定情報が示す言語の音声のアセットも、チャンネルも、その時点で受信している番組に含まれていないと判定する。このとき、再生制御部３３３は、所定の優先順位として解説音声よりも優先度が高い主音声のチャンネル（ｍａｉｎ）を選択する。
【００６８】
以上に説明したように、本実施形態に係る受信装置３０は、受信している番組の構成を示す構成情報を解析して複数の属性の音声を含む音声の編成を解析する構成情報解析部３３２を備える。また、受信装置３０は、操作により選択された属性を示す選択情報を生成し、編成が変更されるとき選択情報が示す属性のうち最後に選択された属性の音声を、他の属性の音声よりも優先して選択する再生制御部３３３を備える。また、受信装置３０は、再生制御部３３３が選択した属性の音声を再生する音声処理部３１４を備える。
この構成により、受信している番組で放送される音声のうち操作により選択された属性の音声が失われ、再度その属性の音声が放送される場合において、その音声が選択される。再度特段の操作が行われない場合でもユーザの意図に沿った属性の音声が優先して選択されることにより、受信装置３０のユーザビリティが向上する。
【００６９】
また、受信している番組において生成された選択情報が示す属性の音声が含まれない場合、再生制御部３３３は、受信装置３０自体の機能に係る属性設定、例えば、優先言語設定情報において指定された属性の音声を選択してもよい。
この構成により、属性設定において優先的に選択すべき属性を予め設定しておくことで、特段の操作が行われない場合でもユーザの意図に沿った属性の音声が優先して選択されることにより、受信装置３０のユーザビリティが向上する。
【００７０】
また、受信している番組において選択情報において指定された属性の音声が含まれない場合、再生制御部３３３は、音声の属性として音声処理部３１４が再生可能な再生方式のうちチャンネル数が多い再生方式の音声ほど優先して選択し、その再生方式の音声に複数の言語の音声が含まれるとき、属性として複数の言語の音声のいずれかを所定の優先順位、例えば、コンポーネントタグ値やチャンネル番号に基づいて選択してもよい。
この構成により、受信装置３０の機能を発揮するチャンネル数が多い再生方式の音声ほど優先して再生される。また、その再生方式の音声が複数個提供される場合には、複数個の音声のいずれかが、所定の優先順位としてコンポーネントタグ値やチャンネル番号で表される所定の音声の種類や言語の順位に基づいて定められる。
【００７１】
また、本実施形態に係る受信装置３０において、受信している番組が変更されるとき、または、番組を受信する放送チャンネルが変更されるとき、前記再生制御部３３３は、操作により選択された属性を示す選択情報を消去してもよい。
この構成により、番組や放送チャンネルの切り替えに伴う音声の編成の変更に応じて、不要になった選択情報が消去される。そのため、不要になった選択情報に基づいてユーザの意図に沿わない属性の音声が優先して選択されることが回避される。
【００７２】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００７３】
例えば、受信装置３０において、拡声部３１５、表示部３１８及び操作入力部３２３は、必ずしも一体化されていなくてもよく、これらのうちのいずれか又は組み合わせが省略されてもよい。
また、上述では音声の再生方式が主にサラウンド５．１ｃｈ又はステレオ２．０ｃｈである場合を例にしたがこれには限られない。再生方式は、例えば、サラウンド２２．２ｃｈであってもよい。また、ダイアログ音声が提供されるアセットが、主に再生方式がサラウンド５．１ｃｈのアセットである場合を例にしたが、これには限られない。ダイアログ音声は、チャンネル数が３チャンネル以上であるアセット、例えば、再生方式がサラウンド２２．２ｃｈであるアセットで提供されてもよい。
【００７４】
上述した実施形態では、各種のデータを伝送するための多重化・伝送方式として、主にＭＰＥＧ−Ｈで規定されたＭＭＴ・ＴＬＶ（Ｔｙｐｅ  Ｌｅｎｇｔｈ  Ｖａｌｕｅ）方式が用いる場合を例にしたが、その他の多重化・伝送方式、例えば、ＭＰＥＧ−２  Ｓｙｓｔｅｍｓで規定された方式が用いられてもよい。ＭＰＥＧ−２  Ｓｙｓｔｅｍｓにおけるエレメンタリストリームは、上述したアセットに相当する。また、伝送に係るデータ形式、暗号化方式、符号化方式も、その多重化・伝送方式で規定された形式または方式が用いられてもよい。
【００７５】
また、上述した実施形態における送信装置１０の一部、受信装置３０の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７６】
なお、本発明は次の態様でも実施することができる。
（１）受信している番組の構成を示す構成情報を解析して複数の属性の音声を含む音声の編成を解析する構成情報解析部と、操作により選択された属性を示す選択情報を生成し、前記編成が変更されるとき前記選択情報が示す属性のうち最後に選択された属性の音声を、他の属性の音声よりも優先して選択する再生制御部と、前記再生制御部が選択した属性の音声を再生する音声処理部と、を備える受信装置。
【００７７】
（２）前記番組において前記選択情報が示す属性の音声が含まれない場合、前記再生制御部は、自装置の機能に係る属性設定において指定された属性の音声を選択する（１）の受信装置。
【００７８】
（３）前記番組において前記選択情報において指定された属性の音声が含まれない場合、前記再生制御部は、前記属性として前記音声処理部が再生可能な再生方式のうちチャンネル数が多い再生方式の音声ほど優先して選択し、前記再生方式の音声に複数の言語の音声が含まれるとき、前記属性として前記複数の言語の音声のいずれかを所定の優先順位に基づいて選択する（２）の受信装置。
【００７９】
（４）前記番組が変更されるとき、または、前記番組を受信する放送チャンネルが変更されるとき、前記再生制御部は、前記選択情報を消去する（１）から（３）のいずれかの受信装置。
【００８０】
（５）受信装置における受信方法であって、受信している番組の構成を示す構成情報を解析して複数の属性の音声を含む音声の編成を解析する構成情報解析過程と、操作により選択された属性を示す選択情報を生成し、前記編成が変更されるとき前記選択情報が示す属性のうち最後に選択された属性の音声を、他の属性の音声よりも優先して選択する再生制御過程と、前記再生制御過程において選択された属性の音声を再生する音声処理過程と、を有する受信方法。
【００８１】
（６）受信装置のコンピュータに、受信している番組の構成を示す構成情報を解析して複数の属性の音声を含む音声の編成を解析する構成情報解析手順、操作により選択された属性を示す選択情報を生成し、前記編成が変更されるとき前記選択情報が示す属性のうち最後に選択された属性の音声を、他の属性の音声よりも優先して選択する再生制御手順、前記再生制御手順において選択された属性の音声を再生する音声処理手順、を実行させるためのプログラム。
【符号の説明】
【００８２】
１…放送システム、１０…送信装置、１１…番組データ取得部、１２…制御データ取得部、１３…多重化部、１４…変調部、１５…送信部、２０…放送伝送路、３０…受信装置、３１１…受信部、３１２…復号部、３１３…分離部、３１４…音声処理部、３１５…拡声部、３１６…映像復号部、３１７…映像合成部、３１８…表示部、３２２…記憶部、３２３…操作入力部、３３１…制御部、３３２…構成情報解析部、３３３…再生制御部、３３４…表示制御部、３３５…選局部、３１４２…復号処理部、３１４３…選択部
【図１】
0006559542.tif 000002
【図２】
0006559542.tif 000003
【図３】
0006559542.tif 000004
【図４】
0006559542.tif 000005
【図５】
0006559542.tif 000006
【図６】
0006559542.tif 000007
【図７】
0006559542.tif 000008
【図８】
0006559542.tif 000009
【図９】
0006559542.tif 000010
【図１０】
0006559542.tif 000011
【図１１】
0006559542.tif 000012
【図１２】
0006559542.tif 000013
【図１３】
0006559542.tif 000014
【図１４】
0006559542.tif 000015
【図１５】
0006559542.tif 000016
【図１６】
0006559542.tif 000017
【図１７】
0006559542.tif 000018
【図１８】
0006559542.tif 000019
【図１９】
0006559542.tif 000020
【図２０】
0006559542.tif 000021
【図２１】
0006559542.tif 000022
【図２２】
0006559542.tif 000023